(57)【要約】【課題】  前記電極端子部上に形成された出力信号端子の導体の腐蝕や剥離等の発生確率を小さくすることのできる表示パネルを提供すること。【解決手段】    少なくとも一方の基板２Ｒ（２Ｆ）に電極３が形成され、枠状シール材４により貼り合わされた２枚の基板２Ｆ、２Ｒのうち一方の基板２Ｒ（２Ｆ）の一端辺部分を他方の基板２Ｆ(２Ｒ）)の端縁より延出させた電極端子部６と、前記電極端子部６上に配設された長方形状の半導体チップ７と、前記電極３と半導体チップ７とを電気的に接続させる複数本の出力信号端子８とを有する表示パネル１であって、前記半導体チップ７の前記他方の基板２Ｆ（２Ｒ）の端縁に対向する辺に接続される各出力信号端子８の前記枠状シール材外へ延出する部分を、前記他方の基板２Ｆ（２Ｒ）の端縁に沿って配設された前記枠状シール材４に直交する直線状に形成する。【選択図】      図１
2006284625.tif 000002
【特許請求の範囲】
【請求項１】
少なくとも一方の基板に電極が形成され、枠状シール材により貼り合わされた２枚の基板のうち一方の基板の一端辺部分を他方の基板の端縁より延出させた電極端子部と、
前記電極端子部上に配設された長方形状の半導体チップと、
前記電極と半導体チップとを電気的に接続させる複数本の出力信号端子と
を有する表示パネルであって、
前記半導体チップの前記他方の基板の端縁に対向する辺に接続される各出力信号端子の前記枠状シール材外へ延出する部分が、前記他方の基板の端縁に沿って配設された前記枠状シール材に直交する直線状に形成されていることを特徴とする表示パネル。
【請求項２】
前記半導体チップの前記他方の基板の端縁に直交する方向に延在する辺に接続される複数の出力信号端子が、前記他方の基板の端縁に沿って配設された前記枠状シール材に直交する直交部分をそれぞれ有する請求項１に記載の表示パネル。
【発明の詳細な説明】
【技術分野】
【０００１】
本発明は、基板の電極端子部に半導体チップが搭載される表示パネルに関する。
【背景技術】
【０００２】
表示パネルの１つである液晶表示パネルにおいては、液晶駆動用ＬＳＩなどの半導体チップを基板の端子形成部に搭載するＣＯＧ（chip on glass）実装方式が、半導体チップのパッケージに要する部材、工数の削減、ファインピッチ化、構造の簡略化などを容易に行うことができるなどの理由により近年多用されている。
【０００３】
図３は、ＣＯＧ実装方式を用いた液晶表示パネル１の構成を示す断面図であり、前記液晶表示パネル１は、略平行に配置されて相対向するように配設された一対の透明基板２を有している。
【０００４】
この一対の透明基板２のうちの観察者側（図中、上方）に位置する透明基板２はフロント基板２Ｆとされており、反観察者側（図中、下方）に位置する透明基板２はリア基板２Ｒとされている。前記各透明基板２Ｒ、２Ｆの互いに対向する面には、インジウム錫酸化物（以下、ＩＴＯという）等からなる透明電極３が積層形成されている。そして、前記透明電極３が形成された透明基板２の表面には、互いに対向する電極間で液晶分子を一定の形態に配列させるために表面にラビング処理が施された配向膜（図示せず）が積層形成されている。そして、一対の透明基板２の対向面間の周囲には、前記両透明基板２Ｒ、２Ｆを貼り合わせて一体化するための略四角枠状のシール材（以下、枠状シール材）４が配設されており、前記枠状シール材４により囲まれた面内には、各透明基板２Ｒ、２Ｆの間隙寸法を調整するためのスペーサ（図示せず）とともに液晶（図示せず）が封入され、前記一対の透明基板２の対向面間に液晶層５が形成されている。この液晶層５に対向する部分は当該液晶表示パネル１の表示領域を構成することとなる。
【０００５】
前記一対の透明基板２は、透明なガラスあるいはポリカーボネートなどの透明な樹脂が用いられ、略矩形の平板状に形成されており、前記リア基板２Ｒの一端辺部分は、フロント基板２Ｆの端縁より突出するように延出形成され、この部分には電極端子部６が形成されている。
【０００６】
前記電極端子部６には、ＩＴＯなどからなる透明導電膜をフォトリソ法などにより所定のパターンに形成することにより、前記透明電極３に接続された引き廻し電極としての出力信号端子８、入力信号端子９、前記入力信号端子９に連なる外部接続端子１０が形成されており、前記引き廻し電極の出力信号端子８および入力信号端子９には、半導体チップであるＩＣチップ７が、液晶表示パネルの端子接続部１１に臨むように実装されている。
【０００７】
そして、このような構成とされた前記液晶表示パネル１においては、前記リア基板２Ｒの前記外部接続端子１０にフレキシブル配線基板等の接続配線部材（図示せず）が接続され、前記接続配線部材を介して前記各透明基板２Ｒ、２Ｆに形成された透明電極３間に電圧を印加することにより、所定の画像を形成するように構成されている。
【０００８】
【特許文献１】特開平０２−１７７５４７号公報
【発明の開示】
【発明が解決しようとする課題】
【０００９】
ところで、従来の前記液晶表示パネル１において、前記引き廻し電極としての出力信号端子８は、図４に示すように、前記枠状シール材４の面内においては、透明電極３と同じ方向に伸延する直線状のパターンでそれぞれ対応する前記透明電極３に接続されており、前記枠状シール材４よりも外側となる前記電極端子部６において所定の形状に長い距離寸法で引き廻し配線されている。
【００１０】
そして、前記電極端子部６においては、前記一対の透明基板２の貼り合わせ工程や、前記電極端子部６の切り出し形成工程等で前記出力信号端子８に水分や汚れ等が付着することがあった。そして、この付着した水分や汚れ等が前記出力信号端子８の導体を腐蝕させたり、剥離させたり、あるいはリークの原因となることがあった。
【００１１】
本発明は、このような技術的課題に鑑み、前記電極端子部上に形成された引き廻し電極の導体の腐蝕や剥離等の発生確率を小さくすることのできる表示パネルを提供することを目的とする。
【課題を解決するための手段】
【００１２】
前述した目的を達成するため、本発明の液晶表示パネルは、少なくとも一方の基板に電極が形成され、枠状シール材により貼り合わされた２枚の基板のうち一方の基板の一端辺部分を他方の基板の端縁より延出させた電極端子部と、前記電極端子部上に配設された長方形状の半導体チップと、前記電極と半導体チップとを電気的に接続させる複数本の出力信号端子とを有する表示パネルであって、前記半導体チップの前記他方の基板の端縁に対向する辺に接続される各出力信号端子の前記枠状シール材外へ延出する部分が、前記他方の基板の端縁に沿って配設された前記枠状シール材に直交する直線状に形成されていることを特徴とする。
【００１３】
また、好ましい態様として、前記半導体チップの前記他方の基板の端縁に直交する方向に延在する辺に接続される複数の出力信号端子が、前記他方の基板の端縁に沿って配設された前記枠状シール材に直交する直交部分をそれぞれ有している。
【発明の効果】
【００１４】
本発明の液晶表示パネルによれば、半導体チップの前記他方の基板の端縁に対向する辺に接続される各出力信号端子の前記枠状シール材外へ延出する部分を、前記他方の基板の端縁に沿って配設された前記枠状シール材に直交する直線状に形成することで、前記電極端子部上に露出する前記出力信号端子を最短寸法とすることができる。このように、前記電極端子部上において露出する出力信号端子の距離寸法を短く形成することで、前記出力信号端子に水分や汚れ等が付着する確率を小さいものとし、前記出力信号端子の導体の腐蝕や剥離等の発生確率を小さくすることができる。
【発明を実施するための最良の形態】
【００１５】
図１は、本実施形態の液晶表示パネル１の電極端子部６に形成された引き廻し電極としての前記出力信号端子９のパターンを示す平面図である。なお、本実施形態においては従来の液晶表示パネル１の構成と同一の部分については説明を省略する。
【００１６】
本実施形態の液晶表示パネル１の電極端子部６は、フロント基板２Ｆの端縁より突出するように延出形成されたリア基板２Ｒの一端辺部分に形成されている。
【００１７】
前記電極端子部６には、ＩTＯなどからなる透明導電膜をフォトリソ法などにより所定のパターンに形成することにより、当該液晶表示パネルにＣＯＧ実装される長方形状のＩＣチップ７が接続される所定パターンの引き廻し電極が形成されている。
【００１８】
そして、本実施形態の液晶表示パネル１においては、前記フロント基板２Ｆの端縁と対向する前記ＩＣチップ７の長辺に配列された端子（以下、長辺端子という）から引き出される引き廻し電極としての出力信号端子８は、前記電極端子部６上における、前記長辺端子と前記フロント基板２Ｆの端縁に沿って配設された前記枠状シール材４との間に位置する部分（以下、露出端子部１２という）が、前記フロント基板２Ｆの端縁に沿って配設された枠状シール材４に直交する直線状に形成されている。すなわち、この出力信号端子８は、露出端子部１２において枠状シール材４に直交する直交部分となっている。なお、前記引き廻し電極の前記露出端子部１２以外の部分については、前記枠状シール材４の直下部および枠状シール材４によって囲まれた面内の非表示領域（図１、図２および従来構成を示す図４には表示領域の外縁を二点鎖線で示す）において、対応する前記端辺端子と透明電極３とを電気的に接続させるべく、直線、曲線を問わずに所定のパターンで引き廻し配線されている。
【００１９】
また、本実施形態の液晶表示パネル１においては、図１に示すように前記ＩＣチップ７の両短辺にも端子（以下、短辺端子という）が配列形成されており、これらの端子からも引き廻し電極としての出力信号端子８が引き出されている。前記短辺端子から引き出される各出力信号端子８は、前記長辺端子から引き出された出力信号端子８の前記露出端子部１２と並列させて形成された第１の露出端子部１２ａと、前記第１の露出端子部１２ａの外方端部に連接され、各第１の露出端子部１２ａと直交する方向に伸延して前記各短辺端子に接続された第２の露出端子部１２ｂとからなる鈎状のパターンに形成されている。すなわち、ＩＣチップ７の端辺側に接続される出力信号端子８は、ＩＣチップ７の長辺側に接続される出力信号端子８と同様に、前記フロント基板２Ｆの端縁に沿って配設された枠状シール材４に直交する直交部分を有するように形成されている。
【００２０】
そして、前記電極端子部６の前記出力信号端子８および入力信号端子９が臨む端子接続部１１には、ＩＣチップ７が実装されており、前記入力信号端子９に接続された外部接続端子１０には、前記ＩＣチップ７に信号を供給するフレキシブル配線基板（図示せず）の接続端子（図示せず）が異方性導電膜等の導電性の接合部材（図示せず）を介して電気的に接続されている。
【００２１】
このように構成された液晶表示パネルによれば、前記枠状シール材４とＩＣチップ７の該枠状シール材４に対向する辺との離間寸法が一定であることを前提とすれば、前記ＩＣチップ７の前記長辺端子から引き出される前記出力信号端子８を前記フロント基板２Ｆの端縁に沿って配設された前記枠状シール材４に対して直交する直線状に形成することで、前記露出端子部分１２を従来に比して格段に短寸法に形成することが可能となる（図２と図４を比較参照）。
【００２２】
また、前記短辺端子から引き出される前記出力信号端子８についても、各短辺端子に接続される引き廻し電極の前記第１の露出端子部１２ａのピッチを可能な限りに狭寸法に設計するとともに、各第１の露出端子部１２ａに接続される前記第２の露出端子部１２ｂを可能な限りに短寸法として前記鉤状パターンに形成することで、引き廻し電極の露出端子部１２を小さくすることができる。また、露出面積を極力小さくする上で、鉤状パターンの折り曲げ角度は７０〜１１０°とすることが好ましい。
【００２３】
なお、前記出力信号端子８が形成されたリア基板２Ｒの表面には、保護膜（図示せず）を積層形成してもよい。前記保護膜は、形成容易性の観点から、液晶表示パネル１の形成に使用する膜を利用して形成してもよい。例えば、透明電極３が形成された透明基板２の表面に形成する前記配向膜を、液晶表示パネル１の表示領域内のみならず、電極端子部６上にも所定のパターンに形成し、前記保護膜として作用させることができる。あるいは、ＳｉＯ２（酸化珪素）膜を前記表示領域における透明電極３と配向膜との間に形成し、配向膜の密着力を向上させるとともに、対向する透明電極３間の短絡を防止する絶縁膜として作用させる場合には、前記ＳｉＯ２膜を、電極端子部６上にも所定のパターンに形成し、前記保護膜として作用させてもよい。
【００２４】
このように前記電極端子部６に配設された出力信号端子８を保護膜により被覆し、保護すれば、前記電極端子部に形成された出力信号端子８に付着した水分などが、導体を腐蝕させたり、剥離させたり、あるいはリークの原因となること等を完全に防止することができる。
【００２５】
なお、本発明は、前述した実施の形態に限定されるものではなく、必要に応じて種々の変更が可能である。例えば、表示パネルとして液晶表示パネルを例に挙げて説明したが、有機ＥＬ表示パネルやプラズマ表示パネルであってもよい。
【図面の簡単な説明】
【００２６】
【図１】本発明の液晶表示パネルの実施形態における電極端子部に形成された引き廻し電極としての出力信号端子のパターンを示す概略平面図
【図２】本実施形態の液晶表示パネルにおける出力信号端子のパターン例を示す要部概略図
【図３】一般的な液晶表示パネルの構成を示す断面図
【図４】従来の液晶表示パネルにおける出力信号端子のパターン例を示す要部概略図
【符号の説明】
【００２７】
１  液晶表示パネル
２  透明基板
２Ｆ  フロント基板
２Ｒ  リア基板
３  透明電極
４  枠状シール材
５  液晶層
６  電極端子部
７  ＩＣチップ
８  出力信号端子
９  入力信号端子
１０  外部接続端子
１１  端子接続部
１２  露出端子部
１２ａ  第１の露出端子部
１２ｂ  第２の露出端子部
【図１】
2006284625.tif 000003
【図２】
2006284625.tif 000004
【図３】
2006284625.tif 000005
【図４】
2006284625.tif 000006